(57)【要約】【課題】掘り起こし部のコンベア上に泥土が溜まりにくく、収穫物に泥土が付着しないねぎ収穫機を提供する。【解決手段】走行機体１に、畝ＵからねぎＮを掘り起こして収穫する収穫部２を備えたねぎ収穫機Ａであって、収穫部２は、ねぎＮを掘り起こす掘り起こし部２０と、掘り起こされたねぎＮを挟持して後方へ搬送する搬送部２１と、掘り起こし部２０の前方の左右両側に設けられ、畝Ｕを両側から崩す畝崩しロータ６１を有する畝崩し部６０とを備え、畝崩し部６０は、掘り起こし部２０の後方部を枢支部として、掘り起こし部２０及び搬送部２１と一体に昇降可能に構成され、畝崩しロータ６１に駆動力を伝達するためのロータ駆動機構は、前記枢支部に設けた左右方向を軸方向とする駆動出力軸７０から上方に向かって延びる第１ロータ駆動軸７１と、第１ロータ駆動軸７１の上端から前方に向かって延びて畝崩しロータ７０に連結される第２ロータ駆動軸７２とを有する。【選択図】図２
2019216616.tif 000002
【特許請求の範囲】
【請求項１】
自走可能な走行機体に、ねぎが栽培されている畝からねぎを掘り起こして収穫する収穫部を備えたねぎ収穫機であって、
前記収穫部は、ねぎを掘り起こす掘り起こし部と、前記掘り起こし部により掘り起こされたねぎを挟持して後方へ搬送する搬送部と、前記掘り起こし部の前方の左右両側に設けられ、畝を両側から崩す畝崩しロータを有する畝崩し部とを備え、
前記畝崩し部は、前記掘り起こし部の後方部を枢支部として、前記掘り起こし部及び前記搬送部と一体に昇降可能に構成され、
前記畝崩しロータに駆動力を伝達するためのロータ駆動機構は、前記枢支部に設けた左右方向を軸方向とする駆動出力軸から上方に向かって延びる第１ロータ駆動軸と、前記第１ロータ駆動軸の上端から前方に向かって延びて前記畝崩しロータに連結される第２ロータ駆動軸とを有する、ねぎ収穫機。
【請求項２】
前記第２ロータ駆動軸は、前記搬送部に沿って前方へ向かって延びている、請求項１に記載のねぎ収穫機。
【請求項３】
前記畝崩し部は、前記畝崩しロータの上側及び左右外側を覆うロータカバーを備え、
前記ロータカバーは、前記第２ロータ駆動軸を収納した駆動ケースから上方へ分岐して前方へ延びる支持部により吊り下げた状態で支持される、請求項１又は２に記載のねぎ収穫機。
【請求項４】
前記ロータカバーは、前記支持部により吊り下げられて前記畝崩しロータの上側を覆う上方カバー部と、前記上方カバー部に取り付けられて前記畝崩しロータの左右外側を覆う側方カバー部とを備え、
前記側方カバー部は、前記上方カバー部に対する取付角度が変更可能である、請求項３に記載のねぎ収穫機。
【発明の詳細な説明】
【技術分野】
【０００１】
本発明は、ねぎ収穫機、詳しくは、自走可能な走行機体に、ねぎが栽培されている畝からねぎを掘り起こして収穫する収穫部を備えたねぎ収穫機に関する。
【背景技術】
【０００２】
下記特許文献１には、ねぎを掘り起こす掘り起こし部と、掘り起こし部により掘り起こされたねぎを挟持して後方へ搬送する搬送部と、畝を両側から崩す畝崩しロータを有する畝崩し部とを備え、掘り起こし部、搬送部、及び畝崩し部を、それぞれ走行機体に基端を枢支して先端側を一体的に昇降可能としたねぎ収穫機が開示されている。
【先行技術文献】
【特許文献】
【０００３】
【特許文献１】特開２０１６−８６６４３号公報
【発明の概要】
【発明が解決しようとする課題】
【０００４】
しかし、特許文献１のねぎ収穫機では、搬送部の下方に設けた掘り起こし部のコンベアの両側に、畝崩しロータに駆動力を伝達するためのロータ駆動軸が左右に並設されているため、コンベアの左右両側から泥土が排出されにくく、コンベア上に泥土が溜まって収穫物に泥土が付着するといった問題が発生していた。
【０００５】
そこで、本発明は上記課題に鑑み、掘り起こし部のコンベア上に泥土が溜まりにくく、収穫物に泥土が付着しないねぎ収穫機を提供することを目的とする。
【課題を解決するための手段】
【０００６】
本発明のねぎ収穫機は、自走可能な走行機体に、ねぎが栽培されている畝からねぎを掘り起こして収穫する収穫部を備えたねぎ収穫機であって、
前記収穫部は、ねぎを掘り起こす掘り起こし部と、前記掘り起こし部により掘り起こされたねぎを挟持して後方へ搬送する搬送部と、前記掘り起こし部の前方の左右両側に設けられ、畝を両側から崩す畝崩しロータを有する畝崩し部とを備え、
前記畝崩し部は、前記掘り起こし部の後方部を枢支部として、前記掘り起こし部及び前記搬送部と一体に昇降可能に構成され、
前記畝崩しロータに駆動力を伝達するためのロータ駆動機構は、前記枢支部に設けた左右方向を軸方向とする駆動出力軸から上方に向かって延びる第１ロータ駆動軸と、前記第１ロータ駆動軸の上端から前方に向かって延びて前記畝崩しロータに連結される第２ロータ駆動軸とを有するものである。
【０００７】
本発明において、前記第２ロータ駆動軸は、前記搬送部に沿って前方へ向かって延びているものでもよい。
【０００８】
また、本発明において、前記畝崩し部は、前記畝崩しロータの上側及び左右外側を覆うロータカバーを備え、
前記ロータカバーは、前記第２ロータ駆動軸を収納した駆動ケースから上方へ分岐して前方へ延びる支持部により吊り下げた状態で支持されるものでもよい。
【０００９】
また、本発明において、前記ロータカバーは、前記支持部により吊り下げられて前記畝崩しロータの上側を覆う上方カバー部と、前記上方カバー部に取り付けられて前記畝崩しロータの左右外側を覆う側方カバー部とを備え、
前記側方カバー部は、前記上方カバー部に対する取付角度が変更可能であるものでもよい。
【発明の効果】
【００１０】
本発明によれば、畝崩しロータに駆動力を伝達するためのロータ駆動機構が、掘り起こし部の後方の駆動出力軸から上方に向かって延びた後に前方へ向かって延びることで、掘り起こし部の左右両側に配置されないため、掘り起こし部のコンベア上に泥土が溜まりにくく、収穫物に泥土が付着しない。
【図面の簡単な説明】
【００１１】
【図１】本実施形態のねぎ収穫機の斜視図
【図２】本実施形態のねぎ収穫機の左側面図
【図３】本実施形態のねぎ収穫機の右側面図
【図４】本実施形態のねぎ収穫機の平面図
【図５】本実施形態のねぎ収穫機の正面図
【図６】本実施形態のねぎ収穫機の背面図
【図７】本実施形態のねぎ収穫機の縦断面図
【図８】掻き落とし部の斜視図
【図９】ロータカバーの斜視図
【図１０】ロータカバーの平面図
【発明を実施するための形態】
【００１２】
以下に、本発明の実施形態について図面を参照しながら説明する。図１〜図７に示すＡは、本実施形態に係るねぎ収穫機であり、図１はねぎ収穫機Ａの斜視図、図２はねぎ収穫機Ａの左側面図、図３はねぎ収穫機Ａの右側面図、図４はねぎ収穫機Ａの平面図、図５はねぎ収穫機Ａの正面図、図６はねぎ収穫機Ａの背面図、図７はねぎ収穫機Ａの縦断面図である。ねぎ収穫機Ａは、自走可能な走行機体１に、ねぎＮを栽培している畝ＵからねぎＮを掘り起こして収穫する収穫部２を備えている。本実施形態では、ねぎＮは、根茎部Ｎａと葉部Ｎｂを有する長ねぎである。なお、以下の説明では、走行機体１の前進方向に向かって左側を単に左側と称し、同様に前進方向に向かって右側を単に右側と称する。
【００１３】
［走行機体の構成］
走行機体１は、立体枠状に形成された機体フレーム１１と、機体フレーム１１の両側に配置された一対のクローラ式の走行部１０,１０とを備えている。機体フレーム１１の右側後部には、エンジン１２を右側の走行部１０の後上方に位置させて搭載するとともに、機体フレーム１１の下部には、エンジン１２の駆動力を走行部１０，１０に伝えるミッションケース１３を左右一対の走行部１０,１０間に配置する。ミッションケース１３は、機体フレーム１１の右側後部、すなわち右側の走行部１０側に配置されている。機体フレーム１１の右側上部には、走行部１０,１０の操向・変速操作及び収穫部２の収穫操作をするための操作部１４が配設されている。機体フレーム１１の後端部には、作業者が搭乗する水平板状の搭乗用ステップ部２４が、後方へ向けて張り出すように配設されている。
【００１４】
［収穫部の構成］
収穫部２は、各作業部として、左右一対の畝崩し部６０,６０と、掘り起こし部２０と、搬送部２１と、掻き落とし部２２と、姿勢変更・整列部２３と、を備えている。左右一対の畝崩し部６０,６０は、畝Ｕの両肩部を崩して、畝Ｕへの掘り起こし部２０の進入抵抗を低減する。このようにして進入抵抗が低減された畝Ｕには、ねぎＮが栽培されており、このねぎＮは掘り起こし部２０により掘り起こされる。搬送部２１は、掘り起こし部２０により掘り起こされたねぎの葉部Ｎｂの中途部を挟持して、挟持したねぎＮを起立姿勢のまま後上方へ向けて搬送する。掻き落とし部２２は、搬送部２１により搬送されるねぎＮの根茎部Ｎａに付着している土塊を掻き落とす。姿勢変更・整列部２３は、搬送部２１の終端部から起立姿勢で搬送されたねぎＮを受け継ぐとともに、受け継いだねぎＮの中途部を挟持して、挟持したねぎＮを起立姿勢から外側方へ前傾状態に傾斜した前傾姿勢に姿勢変更・整列させながら左側後上方へ向けて搬送する。各作業部である掘り起こし部２０、搬送部２１、掻き落とし部２２は、走行機体１の前方において、前後方向に延伸する仮想同一直線Ｌ上に配設されているとともに、これらの作業部の後方で、かつ、仮想同一直線Ｌ上に搭乗用ステップ部２４が配設されている。
【００１５】
掘り起こし部２０は、機体フレーム１１に、前後方向に延伸させて形成した矩形枠状の支持枠体３０の基端部を、左右方向に軸線を向けた枢軸３１を介して枢支し、支持枠体３０上にいわゆるバーコンベアである掘り起こしコンベア３２を載設し、掘り起こしコンベア３２の始端部（前端部）に掘り起こし刃３３を前方へ向けて突設状に取り付けている。図７に示すように、機体フレーム１１に設けたシリンダステー３５と、枢軸３１の中途部から上方へ向けて立設した昇降アーム３６との間に、前後方向に伸縮作動する昇降シリンダ３７を横架し、昇降アーム３６の基端部と支持枠体３０の左右延伸片３０ａとの間に連設片３９を介設している。そして、掘り起こし部２０は、昇降シリンダ３７により昇降作動可能としており、搬送部２１と掻き落とし部２２も掘り起こし部２０と一体的に昇降されるように構成している。
【００１６】
このように構成した掘り起こし部２０では、ねぎＮの収穫作業をする際には、昇降シリンダ３７により掘り起こし部２０を適宜下降させて、掘り起こしコンベア３２が、前低後高の傾斜姿勢に配置されるとともに、掘り起こし刃３３の先端側半部が、圃場Ｇ面に略水平に近接配置されるようにする。このような状態にて、走行機体１の前進走行に伴って、掘り起こし刃３３の先端側半部が、ねぎＮが栽培されている畝Ｕに対して、前方へ向けて略水平に進入し、ねぎＮの根茎部Ｎａの直下方からねぎＮを掘り起こすとともに、掘り起こし刃３３の基端側半部がねぎＮを後上方へ土塊とともに移送させる。そして、掘り起こされたねぎＮは、掘り起こし刃３３の基端側半部の上面を滑動しながら後上方へ移送されて、ねぎＮの葉部Ｎｂが後述する搬送部２１に挟持されて後上方へ搬送される一方、土塊の付着したねぎＮの根茎部Ｎａが、掘り起こし刃３３の基端側半部から掘り起こしコンベア３２上に受け渡されて、掘り起こしコンベア３２によりさらに後上方へ搬送される。この際、ねぎＮは、畝Ｕに栽培されている起立姿勢のまま後上方へ向けて搬送される。
【００１７】
搬送部２１は、掘り起こし部２０の直上方において、掘り起こし部２０の掘り起こしコンベア３２と平行させて前低後高の傾斜状に配置して、掘り起こした起立姿勢のねぎＮの中途部を左右側方から挟持した状態で後上方へ向けて搬送するようにしている。すなわち、搬送部２１は、左右一対の前・後支持フレーム４０,４１を介して掘り起こしコンベア３２の直上方に平行に対向させて配設されている。そして、搬送部２１は、前後方向に延伸する左右一対の搬送体４２,４２を配設して構成している。搬送体４２は、前後方向に間隔をあけて配置した従動プーリ４３と駆動プーリ４４とに搬送ベルト４５を巻回して形成している。左右に対向する両搬送体４２,４２の始端部（前端部）から終端部（後端部）に向けて移送する搬送ベルト往路側部４５ａ,４５ａ同士を対面状態で面接触させており、搬送ベルト往路側部４５ａ,４５ａ同士がねぎＮの葉部Ｎｂを挟持するとともに、挟持した状態でねぎＮを後上方へ搬送するようにしている。
【００１８】
左側の前支持フレーム４０は、上下方向に延伸させて、掘り起こしコンベア３２の左側部と左側の搬送体４２の前部との間に介設している。同様に、右側の前支持フレーム４０は、上下方向に延伸させて、掘り起こしコンベア３２の右側部と右側の搬送体４２の前部との間に介設している。図７に示すように、搬送部伝動横軸１７０を軸支する伝動横軸ケースの左右側部には、左右一対のプーリ駆動軸８５,８５を軸支する左右一対の駆動軸ケース４８,４８を立設している。左側の後支持フレーム４１は、左側の搬送体４２の後部と機体フレーム１１の左側前部との間に斜交状に介設している。同様に、右側の後支持フレーム４１は、右側の搬送体４２の後部と機体フレーム１１の右側前部との間に斜交状に介設している。４９は搬送ベルト往路側部４５ａを弾性付勢するテンションローラである。
【００１９】
このように構成した搬送部２１では、左右一対の搬送体４２,４２の搬送ベルト往路側部４５ａ,４５ａ同士がねぎＮの葉部Ｎｂを挟持するとともに、挟持した状態でねぎＮを後上方へ搬送するようにしているため、ねぎＮの根茎部Ｎａを下方から支持して搬送する掘り起こし部２０の掘り起こしコンベア３２と協働して、ねぎＮを起立した姿勢にて堅実に後上方へ搬送することができる。
【００２０】
掻き落とし部２２は、機体フレーム１１に左右方向に延伸する横軸ケース５０を横架し、横軸ケース５０の右側部から前下方へ向けてチェンケース５１を延出させ、チェンケース５１の先端部（前端部）に軸ケースを左側方へ向けて突設して、軸ケース中に軸架した回転体支軸５３の先端部に回転体５４を同軸的に取り付けている。回転体５４は、左右方向に軸線を向けた円筒状の周壁と、周壁の左右側端面を閉塞する左右側端壁とから形成され、左右側端壁の中心部に回転体支軸５３の先端部を貫通させて取り付けている。つまり、回転体５４は、搬送部２１の搬送方向に対して直交する方向に、その軸線を向けて配置するとともに、その軸線廻りに回転体支軸５３を介して回転可能としている。
【００２１】
図８に示すように、回転体５４の周壁の外周面には、その周方向と軸線方向にそれぞれ間隔をあけて多数の掻き落とし用の突片５５を放射状に突設するとともに、各突片５５は、それらの先端部が根茎部Ｎａに沿うように各突片５５の突出高さに変化をもたせている。本実施形態では、回転体５４の周壁の外周面の周方向に同一間隔をあけて８個の突片５５を突設して突片ユニットを形成し、周壁の軸線方向に同一間隔をあけてこの突片ユニットを７組形成している。
【００２２】
また、軸線方向両端部の突片５５には、着脱可能な掻き落とし補助部材５６が設けられている。掻き落とし補助部材５６は、突片５５にボルト等で固定される。掻き落とし補助部材５６は、ゴム製の板材で構成されており、ねぎＮを傷付けることなく、根茎部Ｎａに付着している土塊を効率よく掻き落とすことができる。
【００２３】
姿勢変更・整列部２３は、搬送部２１の直後方位置に、搬送部２１により起立姿勢で後上方へ向けて搬送されるねぎＮを受け継いで、受け継いだねぎＮを起立姿勢から外側方へ傾斜した傾倒姿勢に姿勢変更するとともに、整列させるように配設して、ねぎＮを姿勢変更・整列しながら一側後上方（本実施形態では左側後上方）へ向けて搬送するようにしている。
【００２４】
すなわち、姿勢変更・整列部２３は、前後方向に延伸する左右一対の移送体８０,８０を前低後高で、かつ、後端部が左側外方へ向くように配設して構成している。移送体８０は、前後方向に間隔をあけて配置した駆動プーリ８１（図７を参照）と従動プーリ８２（図６を参照）とに移送ベルト８３を巻回して形成しており、左右に対向する両移送体８０,８０の始端部（前端部）から終端部（後端部）に向けて移送する移送ベルト往路側部８３ａ,８３ａ同士を対面状態で面接触させている。駆動プーリ８１,８１は、それらの軸線を上下方向に向けて配置する一方、従動プーリ８２,８２は、それらの軸線を左高右低の傾斜方向（例えば、４５°）に傾けて配置して、移送ベルト往路側部８３ａ,８３ａ同士の中途を捩り状に面接触させている。左側の搬送体４２の駆動プーリ４４と左側の移送体８０の駆動プーリ８１は、図７に示すように上下方向に軸線を向けて配置した左側のプーリ駆動軸８５の上端部と中途部とに同軸的に取り付けている。右側の搬送体４２の駆動プーリ４４は、上下方向に軸線を向けて配置した右側のプーリ駆動軸８５の上端部にチェンケースを介して連動連結するとともに、右側の移送体８０の駆動プーリ８１は、右側のプーリ駆動軸８５の中途部に取り付けている。そして、搬送部２１の終端部からねぎＮを受け継いだ姿勢変更・整列部２３は、移送ベルト往路側部８３ａ,８３ａ同士がねぎＮの葉部Ｎｂを挟持するとともに、挟持した状態でねぎＮを起立姿勢から傾倒姿勢に姿勢変更させながら整列させて、左側後上方へ搬送するようにしている。８７は、姿勢変更・整列部２３により移送されるねぎＮの葉先側が垂れ下がらないように保持しながら、ねぎＮを搬送する補助移送ベルトである。
【００２５】
このように構成した姿勢変更・整列部２３では、ねぎＮの搬送姿勢を起立姿勢から傾倒姿勢に姿勢変更させることができるため、ねぎＮを順次、かつ、堅実に後述する収集部２５に収集・貯留させることができる。
【００２６】
姿勢変更・整列部２３の後下方位置には、ねぎＮを収集する矩形板状の収集部２５を配設して、姿勢変更・整列部２３により姿勢変更・整列されたねぎＮが収集部２５に収集されるようにしている。そして、姿勢変更・整列部２３の終端部の下方に、収集部２５の前端縁部を配置して、姿勢変更・整列部２３により搬送されたねぎＮが収集部２５上に落下されて収集・貯留されるようにしている。
【００２７】
掘り起こし部２０の前方には、収穫部２の一部である左右一対の畝崩し部６０,６０を配設している。畝崩し部６０,６０は、畝Ｕの両肩部を崩して、後続の掘り起こし部２０の進入抵抗を軽減させることで、掘り起こし部２０による掘り起こし作業がスムーズに行えるようにしている。
【００２８】
畝崩し部６０，６０及び搬送部２１は、後端部を走行機体１に枢支させ、前端部側を昇降させるように構成されている。畝崩し部６０，６０は、後端部に設けられた軸支部６０ａ，６０ａにより、横軸ケース５０に支持されている。同様に、搬送部２１は、後端部が横軸ケース５０に支持されている。このように、横軸ケース５０は、掘り起こし部２０の後方に配置され、畝崩し部６０，６０及び搬送部２１の枢支部に相当する。また、畝崩し部６０，６０は、前後一対の取付プレート６０ｂ，６０ｂにより搬送部２１と連結されているため、搬送部２１と一体として昇降される。なお、取付プレート６０ｂ，６０ｂをボルト等で搬送部２１に取り付けるための取付孔は長孔となっており、搬送部２１に対する畝崩し部６０，６０の取付角度を調整することができる。
【００２９】
畝崩し部６０，６０は、畝Ｕを両側から崩す畝崩しロータ６１，６１を備える。畝崩しロータ６１，６１は、円板状の取付円板６２，６２と、取付円板６２，６２に取り付けられた複数の畝崩し爪６３，６３とを有する。複数の畝崩し爪６３，６３は、各取付円板６２，６２に周方向に一定の間隔をあけて突設されている。本実施形態では、各取付円板６２，６２に６個の畝崩し爪６３，６３が取り付けられている。畝崩しロータ６１，６１は、取付円板６２，６２の板面に垂直な回転軸周りを回転する。また、左右の畝崩しロータ６１，６１は、下側ほど互いの間隔が狭くなるように、正面視で逆「ハ」字状となるように配置されている。
【００３０】
図２に示すように、畝崩し部６０，６０は、畝崩しロータ６１，６１を回転させるロータ回転軸６４，６４を備える。ロータ回転軸６４，６４は、取付円板６２，６２の中心から左右外側に延びている。ロータ回転軸６４は、ギヤケース６５内に収納されている。ロータ回転軸６４は、ギヤケース６５から左右内側に突出し、その先端部に畝崩しロータ６１の取付円板６２を支持する。
【００３１】
畝崩し部６０，６０は、横軸ケース５０の左右側部に、上方に向かって延びる第１駆動ケース６６，６６の基端部（下端部）が取り付けられ、各第１駆動ケース６６，６６の先端部（上端部）に、前方に向かって延びる第２駆動ケース６７，６７の基端部（後端部）が取り付けられ、各第２駆動ケース６７，６７の先端部（前端部）にギヤケース６５が取り付けられている。横軸ケース５０の左右両端部には、ギヤケース６８，６８が設けられ、第１駆動ケース６６，６６の先端部には、ギヤケース６９，６９が設けられている。
【００３２】
第２駆動ケース６７，６７は、搬送部２１に沿って前方へ向かって延びている。より具体的には、第２駆動ケース６７，６７は、搬送部２１の左右外側方において、搬送ベルト４５と略平行となるように前低後高の傾斜状に配置されている。第１駆動ケース６６，６６は、側面視で第２駆動ケース６７，６７に対して略垂直に配置されている。
【００３３】
左右のロータ回転軸６４，６４は、第２駆動ケース６７，６７内に収納された第２ロータ駆動軸７２，７２の回転駆動力を受けて回転する（図２を参照）。ギヤケース６５，６５には、ロータ回転軸６４，６４と第２ロータ駆動軸７２，７２の互いのギヤ連結部分が収納されている。ギヤ連結部分としては、例えばベベルギヤが用いられる。
【００３４】
左右の第２ロータ駆動軸７２，７２は、第１駆動ケース６６内に収納された第１ロータ駆動軸７１，７１の回転駆動力を受けて回転する（図２を参照）。ギヤケース６９，６９には、第２ロータ駆動軸７２，７２と第１ロータ駆動軸７１，７１の互いのギヤ連結部分が収納されている。ギヤ連結部分としては、例えばベベルギヤが用いられる。
【００３５】
左右の第１ロータ駆動軸７１，７１は、横軸ケース５０内に収納された駆動出力軸７０の回転駆動力を受けて回転する（図２を参照）。駆動出力軸７０は、左右方向を軸方向とする。ギヤケース６８には、駆動出力軸７０と第１ロータ駆動軸７１，７１の互いのギヤ連結部分が収納されている。ギヤ連結部分としては、例えばベベルギヤが用いられる。
【００３６】
このように、畝崩しロータ６１，６１に駆動力を伝達するためのロータ駆動機構は、第１ロータ駆動軸７１，７１、第２ロータ駆動軸７２，７２、及びロータ回転軸６４，６４を含む。
【００３７】
上記の構成により、第１ロータ駆動軸７１，７１を収納する第１駆動ケース６６，６６と第２ロータ駆動軸７２，７２を収納する第２駆動ケース６７，６７とが、掘り起こしコンベア３２の側方に配置されないため、掘り起こしコンベア３２上に泥土が溜まりにくく、収穫物に泥土が付着しない。
【００３８】
また、畝崩し部６０，６０は、畝崩しロータ６１，６１の上側及び左右外側を覆うロータカバー７３，７３を備えている。ロータカバー７３，７３は、畝崩しロータ６１，６１によって畝を崩す際に生じた泥土の飛散を防止する。
【００３９】
ロータカバー７３，７３は、畝崩しロータ６１，６１の上方に設けられている。より具体的には、図９及び図１０に示すように、ロータカバー７３，７３は、畝崩しロータ６１，６１の上方にて、第２駆動ケース６７，６７に固定された支持パイプ７４，７４（支持部に相当する）により吊り下げた状態で支持されている。支持パイプ７４，７４は、略Ｌ字状をしており、第２駆動ケース６７，６７から分岐するように上方へ向かって延び、その後前方に向かって延びるように設けられている。ロータカバー７３，７３を上方から吊り上げた状態で支持することで、畝崩しロータ６１，６１の側方に支持部がないため、スムーズに泥土を排出できる。
【００４０】
ロータカバー７３，７３は、畝崩しロータ６１，６１の上側を覆う上方カバー部７３１と、上方カバー部７３１に取り付けられて畝崩しロータ６１，６１の左右外側を覆う側方カバー部７３２とを備えている。
【００４１】
上方カバー部７３１は、支持パイプ７４により支持される基部カバー７３１ａと、基部カバー７３１ａに対して上下に回動可能に連結された前回動カバー７３１ｂ及び後回動カバー７３１ｃとを有する。すなわち、上方カバー部７３１は、前後に三分割された形態となっている。前回動カバー７３１ｂは、基部カバー７３１ａの前側にヒンジ部７３１ｄを介して設けられ、後回動カバー７３１ｃは、基部カバー７３１ａの後側にヒンジ部７３１ｅを介して設けられている。
【００４２】
側方カバー部７３２は、上方カバー部７３１と同様、前後に三分割された形態となっており、基部カバー７３１ａに取り付けられた中央側面カバー７３２ａと、前回動カバー７３１ｂに取り付けられた前側面カバー７３２ｂと、後回動カバー７３１ｃに取り付けられた後側面カバー７３２ｃとを有する。
【００４３】
側方カバー部７３２は、ゴム製の板材で構成されており、変形可能となっている。側方カバー部７３２のうち少なくとも中央側面カバー７３２ａは、ゴム製の板材の形態を保持するための形態保持部材７３３を有する。形態保持部材７３３は、中央側面カバー７３２ａの裏面（畝崩しロータ６１に対向する面）に沿うように設けられる。形態保持部材７３３は、細長い帯状の金属製の板材であり、形態保持部材７３３を塑性変形させることで中央側面カバー７３２ａを任意の形態に保持することができる。これにより、中央側面カバー７３２ａは、上方カバー部７３１に対する取付角度が変更可能となっている。その結果、泥土の飛散方向又は排出量に応じて中央側面カバー７３２ａの取付角度を調整できる。
【００４４】
形態保持部材７３３は、中央側面カバー７３２ａの前後に２本設けられている。なお、形態保持部材７３３は、少なくとも中央側面カバー７３２ａに設けられるが、前側面カバー７３２ｂと後側面カバー７３２ｃにも設けてもよい。
【００４５】
収穫部２の前方には、左右一対のゲージ輪９０，９０が設けられている。左右のゲージ輪９０，９０は、収穫部２の前端部の対地高さを決めるものであり、畝Ｕの左右側方に接触した状態で、走行機体１を畝Ｕに沿って走行させる。
【００４６】
ゲージ輪９０，９０は、搬送部２１に取り付けられたゲージ輪支持フレーム９１に支持されている。ゲージ輪支持フレーム９１は、搬送部２１に取り付けられた左右の支持アーム部９２，９２と、正面視門状のガイドフレーム部９３と、左右の各支持アーム部９２，９２の前端部から延設されたゲージ輪支持アーム部９４，９４とを有する。
【００４７】
左右の支持アーム部９２，９２は、パイプ状の部材により構成されており、基端部が搬送部２１に固定され、先端部が前方へ向かって延びている。支持アーム部９２，９２の前部は、略水平に延びている。ガイドフレーム部９３は、パイプ状の部材により構成されており、その両端部が左右の支持アーム部９２，９２の前部中央部に固定され、搬送部２１の前端部を左右に跨ぐように設けられている。
【００４８】
ゲージ輪支持アーム部９４，９４は、各支持アーム部９２，９２の前端部から前下方に向けて傾斜状に設けられている。ゲージ輪支持アーム部９４，９４は、各支持アーム部９２，９２に固定されるゲージ輪支持アーム部材９５，９５と、各ゲージ輪支持アーム部材９５，９５の下端部に取り付けられるゲージ輪支承部材９６，９６とを有する。
【００４９】
ゲージ輪支持アーム部材９５，９５は、その上端に設けられた回転ハンドル９５ａ，９５ａの操作によって伸縮可能に設けられており、これにより、左右のゲージ輪９０，９０の高さ調節が可能となっている。
【００５０】
ゲージ輪支承部材９６，９６は、ゲージ輪９０，９０を回転自在に支持する。左右のゲージ輪９０，９０は、下側ほど互いの間の間隔を狭くするように、機体正面視で逆「ハ」字状をなすように傾斜状に支持されている。ゲージ輪支承部材９６，９６は、ゲージ輪支持アーム部材９５，９５に対して上下に回動可能に取り付けられている。これにより、ねぎ収穫機Ａをトラックに積載する際、ゲージ輪支承部材９６，９６をゲージ輪９０，９０とともに上方へ回動させて収納することで（図２を参照）、ねぎ収穫機Ａの全長を短縮することができる。
【００５１】
［他の実施形態］
前述の実施形態では、第２駆動ケース６７，６７は、搬送部２１に沿って前方へ向かって延びているが、これに限定されない。第２駆動ケース６７，６７は、必ずしも搬送部２１の左右外側方に隣接して配置される必要はなく、第１駆動ケース６６，６６と第２駆動ケース６７，６７とが、側面視で掘り起こしコンベア３２と搬送部２１との間の空間に重ならないように配置されればよい。すなわち、第２駆動ケース６７，６７は、搬送部２１の左右外側方において、搬送ベルト４５と略平行に配置される必要はなく、また、第１駆動ケース６６，６６は、側面視で第２駆動ケース６７，６７に対して略垂直に配置される必要はない。
【００５２】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【符号の説明】
【００５３】
Ａ  ねぎ収穫機
Ｎ  ねぎ
Ｎａ  根茎部
Ｎｂ  葉部
１  走行機体
２  収穫部
１０  走行部
１１  機体フレーム
２０  掘り起こし部
２１  搬送部
２２  掻き落とし部
３２  掘り起こしコンベア
６０  畝崩し部
６１  畝崩しロータ
６４  ロータ回転軸
６６  第１駆動ケース
６７  第２駆動ケース
７０  駆動出力軸
７１  第１ロータ駆動軸
７２  第２ロータ駆動軸
７３  ロータカバー
７３１  上方カバー部
７３２  側方カバー部
７３３  形態保持部材
７４  支持パイプ
【図１】
2019216616.tif 000003
【図２】
2019216616.tif 000004
【図３】
2019216616.tif 000005
【図４】
2019216616.tif 000006
【図５】
2019216616.tif 000007
【図６】
2019216616.tif 000008
【図７】
2019216616.tif 000009
【図８】
2019216616.tif 000010
【図９】
2019216616.tif 000011
【図１０】
2019216616.tif 000012